(57)【要約】【課題】  少ない本数の花束であっても花を拡げることのできる仕切枠を配置し、日除けのための日除部材を取り付けることのできる墓用花立補助具を提供する。【解決手段】  花立補助具１は、仕切部材２、支柱３、日除部材４、支持部材５とからなる部材で構成される。支柱３は、花立器具Ａ内部のほぼ中央に立設されている。仕切部材２および支持部材５は、支柱３に挿通されて花立器具の開口部（上部）および底部（下部）に設置される。このとき、仕切部材２および支持部材５の端部には、仕切部材２の弧状湾曲部、第一の支持部材５１および第二の支持部材５２の弧状湾曲部が構成される。これらの弧状湾曲部により花立器具の内壁を押圧させて、支柱３を軸止させることができる。この支柱３の先端には、日除部材４が配設されており、強い日差しを防ぎ、花立器具Ａ内の水の蒸発を遅延させることができる。【選択図】  図１
2009197420.tif 000002
【特許請求の範囲】
【請求項１】
墓石の献花用穴に設置される有底筒状の花立器具に使用する墓用花立補助具であって、上記花立器具のほぼ中央に立設される支柱と、この支柱の下位において該支柱から周辺に向かって突設され、該支柱と上記花立器具の内壁との間に介在される支持部材と、上記花立器具の開口部付近において上記支柱から周辺に向かって突出され、該支柱と該花立器具の開口部との間に介在される仕切部材とを備え、上記支持部材は、上記支柱から上記花立器具の内壁に到達でき、かつ弾性変形可能な線状材料で構成された支持部材であり、上記仕切部材は、上記支柱の表面に摺接された鍔状の基部と、この基部から上記花立器具の内壁に到達でき、かつ弾性変形可能な線状材料で構成されるとともに、上記線状材料の一部が花立器具の開口部に当接して高さ方向の位置決めがされる仕切部材であることを特徴とする墓用花立補助具。
【請求項２】
墓石の献花用穴に設置される有底筒状の花立器具に使用する墓用花立補助具であって、上記花立器具のほぼ中央に立設される支柱と、この支柱の下位において該支柱から周辺に向かって突設され、該支柱と上記花立器具の内壁との間に介在される支持部材と、上記花立器具の開口部付近において上記支柱から周辺に向かって突出され、該支柱と該花立器具の開口部との間に介在される仕切部材とを備え、上記支持部材は、複数の線状材料を略Ｌ字形に折曲するとともに、各線状材料の短尺部分が上記支柱の軸線に直交するように設けられた支持部材であり、上記仕切部材は、上記支柱の表面に摺接された鍔状の基部と、この基部から放射状に突設された複数の線状材料とを備え、かつ、上記線状材料は、略Ｌ字形に折曲されるとともに、折曲部分を大きく張り出した張出部を有する構成とし、該略Ｌ字形の長尺部分を下向きにしつつ短尺部分を上記支柱の軸線に直交するように設けられた仕切部材であることを特徴とする墓用花立補助具。
【請求項３】
前記支持部材は、略Ｌ字形の線状材料の長尺部分を下向き若しくは上向きのいずれか一方に向けた一種類、または、上下双方に向けた二種類により構成された支持部材である請求項２記載の墓用花立補助具。
【請求項４】
前記支持部材および仕切部材を構成する線状材料は、いずれも少なくとも前記支柱から三方向に等角で配置された線状材料である請求項２または３記載の墓用花立補助具。
【請求項５】
前記仕切部材は、前記花立器具の開口端縁と前記支柱との中間に、該支柱の軸周りに配置された環状部を有する仕切部材である請求項１ないし４のいずれかに記載の墓用花立補助具。
【請求項６】
前記支柱は、上端に連結手段を備え、上記連結手段により連結される軸部の先端に適宜面積を有する板状体で構成された日除部材が着脱可能である請求項１ないし５のいずれかに記載の墓用花立補助具。
【発明の詳細な説明】
【技術分野】
【０００１】
本発明は、墓に供花するための墓用花立器具の補助具に関するものである。
【背景技術】
【０００２】
従来技術において、墓用の花立に仕切りを有するものとして、仕切付墓用花立がある（特許文献１）。この仕切付墓用花立は、墓石の供花用の穴に差し込まれる脚部とこの脚部の上に接して設けられた水溜容器からなるものであり、この水溜容器の中を複数に区分する仕切枠を設けることにより、水溜容器のどの部分にも供花できるようにされている。
【０００３】
また、花器本体の上部に一枚の平行線状網を複数枚重畳して網目状あるいは平行線状に形成し、当該花器本体の下部には切断された切り花の茎の先端を係止するための湾曲した内曲面に層状の段溝が形成されている花立て用花器がある（特許文献２）。
【０００４】
さらに、植物を強い日差しや強い雨から守るものとして、日光及び雨よけ用花パラソルがある（特許文献３）。このパラソルは、植栽された植物の植木鉢の中心部の土中に、開いた状態の傘の軸管を差し込み、この傘の転倒防止として三方向に分かれた補助の支柱が傘の軸管に取り付けられている。
【特許文献１】特開２００１−３３６３１２号（２頁−３頁、図１）
【特許文献２】実開平５−８０３６７号（４頁−５頁、図１）
【特許文献３】実用新案登録第３０５５８４３号（３頁、図１）
【発明の開示】
【発明が解決しようとする課題】
【０００５】
しかしながら、仕切付墓用花立（特許文献１）は、水溜容器の開口部から底部にかけて形成されている板状の側板を格子状に構成してなるものであるため、花を供花する場合に、格子状に囲まれている仕切枠内でのみ花を拡げて活けることができるものであった。このため、水溜容器上に供花を拡げて活けたい場合には、底部まで続いている板状の側板が格子状に包囲されていることにより、供花を拡げることができず、この水溜容器は不向きであった。
【０００６】
また、花立て用花器（特許文献２）は、屋内に設置できるものを想定しており、屋外のもの、特に墓用に使用できるものではなかった。
【０００７】
さらに、上記日光及び雨よけ用花パラソル（特許文献３）においては、大きな植木鉢に使用されることを想定しており、同時にこのパラソルは、市販のものを使用していることから、日光及び雨よけ用花パラソルにおいても、墓用に使用できるものではなかった。
【０００８】
本発明は、上記諸点にかんがみてなされたものであって、その目的とするところは、少ない本数の花束であっても花を拡げることのできる仕切枠を配置し、日除けのための日除部材を取り付けることのできる墓用花立補助具を提供することである。
【課題を解決するための手段】
【０００９】
そこで、本発明は、墓石の献花用穴に設置される有底筒状の花立器具に使用する墓用花立補助具であって、上記花立器具のほぼ中央に立設される支柱と、この支柱の下位において該支柱から周辺に向かって突設され、該支柱と上記花立器具の内壁との間に介在される支持部材と、上記花立器具の開口部付近において上記支柱から周辺に向かって突出され、該支柱と該花立器具の開口部との間に介在される仕切部材とを備え、上記支持部材は、上記支柱から上記花立器具の内壁に到達でき、かつ弾性変形可能な線状材料で構成された支持部材であり、上記仕切部材は、上記支柱の表面に摺接された鍔状の基部と、この基部から上記花立器具の内壁に到達でき、かつ弾性変形可能な線状材料で構成されるとともに、上記線状材料の一部が花立器具の開口部に当接して高さ方向の位置決めがされる仕切部材であることを特徴とする墓用花立補助具を要旨とする。
【００１０】
また、本発明は、墓石の献花用穴に設置される有底筒状の花立器具に使用する墓用花立補助具であって、上記花立器具のほぼ中央に立設される支柱と、この支柱の下位において該支柱から周辺に向かって突設され、該支柱と上記花立器具の内壁との間に介在される支持部材と、上記花立器具の開口部付近において上記支柱から周辺に向かって突出され、該支柱と該花立器具の開口部との間に介在される仕切部材とを備え、上記支持部材は、複数の線状材料を略Ｌ字形に折曲するとともに、各線状材料の短尺部分が上記支柱の軸線に直交するように設けられた支持部材であり、上記仕切部材は、上記支柱の表面に摺接された鍔状の基部と、この基部から放射状に突設された複数の線状材料とを備え、かつ、上記線状材料は、略Ｌ字形に折曲されるとともに、折曲部分を大きく張り出した張出部を有する構成とし、該略Ｌ字形の長尺部分を下向きにしつつ短尺部分を上記支柱の軸線に直交するように設けられた仕切部材であることを特徴とする墓用花立補助具を要旨とする。
【００１１】
上記発明において、支持部材を略Ｌ字形の線状材料の長尺部分を下向き若しくは上向きのいずれか一方に向けた一種類、または、上下双方に向けた二種類により構成させることもできる。
【００１２】
また、上記発明において、支持部材および仕切部材を構成する線状材料は、いずれも少なくとも前記支柱から三方向に等角で配置された線状材料とすることもできる。
【００１３】
また、上記各発明において、仕切部材は、前記花立器具の開口端縁と前記支柱との中間に、該支柱の軸周りに配置された環状部を有する仕切部材とすることもできる。
【００１４】
さらに、上記各発明において、支柱は、上端に連結手段を備え、上記連結手段により連結される軸部の先端に適宜面積を有する板状体で構成された日除部材が着脱可能である構成とすることができる。
【発明の効果】
【００１５】
本発明によれば、花立器具に花を供える際に、墓用花立補助具に仕切部材を配設することで、少ない本数の花束であっても花を広げて活けることができる。また、仕切枠を構成することで、花立器具内部に鳥等のくちばしが入らないため、カラス等による鳥害を防止することができる。さらに、花立器具の支柱の先端部に日除部材を設置することにより、強い日差しを防ぐことができるので、花立器具内の水の蒸発を遅延させることができる。また、降雪の際には、上記日除部材が供花された花等を積雪から防止することができるのである。
【発明を実施するための最良の形態】
【００１６】
以下、本発明の実施の形態を図面に基づいて説明する。本発明は、墓に供花するための墓用花立補助具に関するものである。花立器具Ａは、図１に示しているように墓の石碑の前面両側に一対に設置されている。花立器具Ａの内部には、図２に示すように、花立補助具１が配設されており、仕切部材２、支柱３、日除部材４、支持部材５とからなる部材で構成されている。
【００１７】
仕切部材２は、花立器具に花を供花した場合に、少量の花でも広げて活けることができ、かつ、支柱３を支持するために使用される部材である。仕切部材２は、花立器具の開口部に設置させることができ、環状部２１０と、基部２１１と、この基部２１１から突設された弾性変形可能な線状材料２１３，２１４，２１５，２１６とから構成されている（図３参照）。環状部２１０は、線状材料を円環状に形成させてなり、花立器具Ａの開口端縁と支柱３との中間に、この支柱３の軸周りに配置されて、花立器具Ａの開口部に水平となるように配設されている。基部２１１は、鍔状を形成しており、中心部分には貫通孔２１２が貫設されて、この貫通孔２１２に支柱３が挿通できるようになっている。この基部２１１を起点として、線状材料２１３〜２１６は、略Ｌ字形に折曲されて、折曲部分を大きく張り出した張出部２１７，２１８，２１９，２２０を有する構成となっており、略Ｌ字形の長尺部分を下向きにしつつ、短尺部分を支柱３の軸線に直交させるようになっている。そして、この線状材料２１３〜２１６は、花立器具の外方に向けて四方向に等角で配置されることにより、円環状の環状部２１０と交差させることができるので、この環状部２１０と線状材料２１３〜２１６により、略格子状に囲まれる仕切枠が複数個所に形成されることとなる。
【００１８】
このような構成にすることで、少ない本数の花束であっても、花立器具内部の一個所に片寄ることなく、各仕切枠内に花を活けることができるので、全体として花を広げて見せることができるのである。また、上記略格子状の仕切枠により、花立器具内部に鳥等のくちばしが入らないため、カラス等による鳥害から防止することができるのである。
【００１９】
一方、基部２１１から突設された線状材料２１３〜２１６の端部は、その先端部分を湾曲させてなり、その湾曲部分は弧状に形成されて、弧状湾曲部２１３ａ，２１４ａ，２１５ａ，２１６ａを構成している（図３参照）。これらの弧状湾曲部２１３ａ〜２１６ａは、花立器具の内壁に当接することにより、線状材料２１３〜２１６が弾性変形することから、当該内壁を押圧させるように構成されており、この押圧により、支柱３を花立器具の中心軸上に立設することができるようになっている（図４参照）。なお、弧状湾曲部２１３ａ〜２１６ａは、湾曲させた部分が花立器具の内壁に当接するため、仕切部材２を花立器具Ａの内部に装着するときであっても、当該内壁を損傷させないようになっている。
【００２０】
支柱３は、図１および図２に示すように、長尺な棒状をしており、花立器具内部のほぼ中央に立設される。この支柱３の先端には、日除部材４が配設されている（図１、図２参照）。この日除部材４は、適宜面積を有する板状体で構成されており、花立器具に供花されている花を強い日差しから保護することができるため、花立器具内の水の蒸発を遅延させることができる。また、強風であっても、日除部材４には、適宜隙間が形成されているため、この隙間から風を通過させることができ、風の影響を低減させることもできる。さらに、降雪の際には、適宜面積を有する板状体の部分が、上記日除部材４が供花された花等を積雪から防止することができるのである。また、支柱３の上端には、日除部材４を着脱可能とするために、螺合できるような構造となっている。この構造は着脱可能であれば、螺合に限らず、嵌合の様な構造であっても良い。
【００２１】
支持部材５は、上記支柱３を花立器具内の中心に立設させるための部材である。図２および図３に示すように、支持部材５は、支柱３の下方に位置し、基部５１１，５２１を中心として、第一の支持部材５１および第二の支持部材５２で構成されている。第一の支持部材５１は、基部５１１とこの基部５１１から突設されている線状材料５１３，５１４，５１５，５１６により構成されている。この基部５１１は、鍔状に形成されて中心部に貫通孔５１２が形成されて、上記仕切部材２と同様に支柱３が挿通できるようになっている。そして、この基部５１１を起点として花立器具の外方に向けて等角で四方向に弾性変形可能な線状材料５１３〜５１６が配置されている。これらの線状材料５１３〜５１６は、略Ｌ字形に折曲されて、略Ｌ字形の長尺部分を下向きにしつつ、短尺部分を支柱３の軸線に直交させるようになっている。また、線状材料５１３〜５１６の端部は、線状材料を湾曲させて構成されており、その湾曲部分は弧状に形成されて、弧状湾曲部５１３ｂ，５１４ｂ，５１５ｂ，５１６ｂを構成している（図３参照）。これらの弧状湾曲部５１３ｂ〜５１６ｂは、花立器具の内壁を押圧させるように構成されており、この押圧により、支柱３を花立器具の中心軸上に立設させることができるようになっている。この点は、仕切部材２と同様である。一方、第二の支持部材５２は、第一の支持部材５１と同じ構造を有しており、基部５２１とこの基部５２１から突設されている線状部材５２３，５２４，５２５，５２６により構成されている。第二の支持部材５２は、略Ｌ字形に折曲されて、略Ｌ字形の長尺部分を上向きにしつつ、短尺部分を支柱３の軸線に直交させるようになっている。
【００２２】
次に、花立補助具１の詳細構造について説明する。図１に示すように、花立補助具１は、花立器具内部に支柱３を挿入させることにより配設されるものである。この支柱３を花立器具内に立設させるため、支柱３には、仕切部材２および支持部材５が取り付けられている（図２参照）。仕切部材２および支持部材５の取付位置は、花立器具の長さによって適宜決定されるものであるが、本実施形態では、花立器具の開口部（上部）に仕切部材２を配設し、花立器具の底部（下部）に支持部材５が配設される構成となっている。仕切部材２の基部２１１の中心部には、貫通孔２１２が貫設され、支柱３を挿通させることができるようになっている。そして、支柱３が挿通された基部２１１は、その支柱３の表面に摺接される状態となることから、この仕切部材２は、支柱３に挿通させた後は、支柱３の表面に沿って摺動させることができ、花立器具Ａの内部に挿入した後に、仕切部材２の位置調整を行うことができるのである。そして、仕切部材２の張出部２１７，２１８，２１９，２２０が花立器具Ａの開口部に当接することで、高さ方向の位置決めができるのである。
【００２３】
また、支持部材５１，５２の基部５１１，５２１の中心部には、貫通孔５１２，５２２が貫設されており、支柱３を挿通させることができるようになっている。これらの基部５１１，５２１は、支柱３に固着させることによって一体的に構成できるが、上記の仕切部材２と同様に摺接させてもよい。そして、この基部５１１，５２１の鍔表面同士を密着させつつ固着する構造とすることにより、両支持部材５１，５２は上下双方に向けられる構成とすることができる（図３参照）。また、仕切部材２および支持部材５を花立器具Ａの内部に挿入することで、仕切部材２の弧状湾曲部２１３ａ〜２１６ａと第一の支持部材５１の弧状湾曲部５１３ｂ〜５１６ｂおよび第二の支持部材５２の弧状湾曲部５２３ｂ〜５２６ｂが、花立器具の内壁にそれぞれ押圧することになる（図４参照）。これにより、仕切部材２および支持部材５を花立器具の内壁の一定個所に固定させることができるので、支柱３を花立器具の内壁において立設させることができる。
【００２４】
このように、本実施形態によれば、支柱３に仕切部材２および支持部材５を配設し、花立器具Ａの内部に挿入することで、安定して支柱３を立設させることができるのである。また、仕切部材２により、少ない本数の花束であっても、花立器具Ａ内部の一個所に片寄ることなく、各仕切枠内に花を活けることができるので、全体として花を広げて見せることができる。同時に仕切部材２の仕切枠により、花立器具Ａ内部に鳥等のくちばしが入らないため、鳥害の防止をすることもできる。さらに、支柱３の先端に設置されている日除部材４により、強い日差しを防ぐことができるので、花立器具Ａ内の水の蒸発を遅延させることができる。また、降雪の際には、上記日除部材４が供花された花等を積雪から防止することもできるのである。
【００２５】
本実施形態は上記のとおりであるが、本発明の趣旨を逸脱しない範囲において、種々の態様をとることができる。例えば、支持部材５は、略Ｌ字形の線状材料を使用しているが、図５に示されるように、湾曲した弓状の線状材料を使用する支持部材６１，６２とすることもできる。このようにした場合でも、弓状の線状材料の頂上部分が花立器具の内壁を押圧させることになるので、支柱３を立設させることが可能となる。また、支持部材５を配設する数量や方向においても、単数のみならず、複数配設することも可能であり、略Ｌ字形の線状材料の長尺部分を下向きまたは上向きの一方向のみにすることも可能である。さらに、支持部材５および仕切部材２を構成する線状材料は、支柱３の軸線に直交して四方向に等角に配置されているが、少なくとも三方向に等角で配置された線状材料であれば、支柱３を花立器具内に立設させることができる。
【図面の簡単な説明】
【００２６】
【図１】本発明の実施形態を示す全体図である。
【図２】本発明の実施形態を示す斜視図である。
【図３】本発明の実施形態を示す内部詳細図である。
【図４】本発明の実施形態を示すＩＶ−ＩＶ断面図である。
【図５】本発明の他の実施形態を示す断面図である。
【符号の説明】
【００２７】
１  花立補助具
２  仕切部材
３  支柱
４  日除部材
５  支持部材
５１  第一の支持部材
５２  第二の支持部材
６１，６２  支持部材
２１０  環状部
２１１  基部
２１２  貫通孔
２１３，２１４，２１５，２１６  線状材料
２１７，２１８，２１９，２２０  張出部
２１３ａ，２１４ａ，２１５ａ，２１６ａ  弧状湾曲部
５１１，５２１  基部
５１２，５２２  貫通孔
５１３，５１４，５１５，５１６  線状材料
５２３，５２４，５２５，５２６  線状部材
５１３ｂ，５１４ｂ，５１５ｂ，５１６ｂ  弧状湾曲部
５２３ｂ，５２４ｂ，５２５ｂ，５２６ｂ  弧状湾曲部
Ａ  花立器具
【図１】
2009197420.tif 000003
【図２】
2009197420.tif 000004
【図３】
2009197420.tif 000005
【図４】
2009197420.tif 000006
【図５】
2009197420.tif 000007